(57)【要約】【課題】画像データを文字コードデータに変換可能な複数の情報処理部を選択して使用できる。【解決手段】情報処理システム（１００）は、画像読取装置（１０）と、情報処理装置（２０）とを備える。画像読取装置（１０）は、原稿を読み取って対象画像データ（ＯＧ）を生成する。情報処理装置（２０）は、対象画像データ（ＯＧ）を処理する。情報処理装置（２０）は、第１変換処理部（２２ａ）と、第２変換処理部（２２ｂ）と、選択部（２４）とを含む。第１変換処理部（２２ａ）は、画像データを文字コードデータに変換可能である。第２変換処理部（２２ｂ）は、画像データを文字コードデータに変換可能である。選択部（２４）は、第１変換処理部（２２ａ）および第２変換処理部（２２ｂ）のいずれが前記対象画像データ（ＯＧ）を文字コードに変換するかを選択する。【選択図】図２
2020135296.tif 000002
【特許請求の範囲】
【請求項１】
原稿を読み取って対象画像データを生成する画像読取装置と、
前記対象画像データを処理する情報処理装置と
を備える、情報処理システムであって、
前記情報処理装置は、
画像データを文字コードデータに変換可能な第１変換処理部と、
画像データを文字コードデータに変換可能な第２変換処理部と、
前記第１変換処理部および前記第２変換処理部のいずれが前記対象画像データを文字コードに変換するかを選択する選択部と
を含む、情報処理システム。
【請求項２】
前記第２変換処理部は、前記第１変換処理部よりも高い認識率で前記画像データを前記文字コードデータに変換する、請求項１に記載の情報処理システム。
【請求項３】
前記第２変換処理部は、使用量に応じて使用料が増加するように設定されている、請求項１または２に記載の情報処理システム。
【請求項４】
前記第１変換処理部は、使用量に応じて使用料が変化しないように設定されている、請求項１から３のいずれかに記載の情報処理システム。
【請求項５】
前記選択部は、前記第１変換処理部を選択した後、前記第１変換処理部が前記対象画像データを第１文字コードデータに変換した際の認識率に基づいて、前記第２変換処理部が前記対象画像データを第２文字コードデータに変換するか否かを判定する、請求項１から４のいずれかに記載の情報処理システム。
【請求項６】
前記選択部で選択された前記第１変換処理部および前記第２変換処理部の少なくとも一方が、前記対象画像データのうちの文字コードに変換する領域を指定する領域指定部をさらに備える、請求項１から５のいずれかに記載の情報処理システム。
【請求項７】
前記画像読取装置は、前記第１変換処理部および前記第２変換処理部のいずれが前記対象画像データを文字コードに変換するかを指定する、請求項１から６のいずれかに記載の情報処理システム。
【請求項８】
前記画像読取装置は、前記第１変換処理部の過去の変換結果と前記第２変換処理部の過去の変換結果との一致率を示す一致率情報を表示する、請求項１から７のいずれかに記載の情報処理システム。
【請求項９】
画像データを文字コードデータに変換可能な第１変換処理部と、
画像データを文字コードデータに変換可能な第２変換処理部と、
対象画像データを受信する通信部と、
前記第１変換処理部および前記第２変換処理部のいずれが前記対象画像データを文字コードに変換するかを選択する選択部と
を備える、情報処理装置。
【請求項１０】
前記選択部は、前記第１変換処理部を選択した後、前記第１変換処理部が前記対象画像データを第１文字コードデータに変換した際の認識率に基づいて、前記第２変換処理部が前記対象画像データを第２文字コードデータに変換するか否かを判定する、請求項９に記載の情報処理装置。
【請求項１１】
前記通信部は、前記対象画像データを送信元から受信し、
前記選択部は、前記送信元からの指定に基づいて、前記第１変換処理部および前記第２変換処理部のいずれが前記対象画像データを文字コードに変換するか選択する、請求項９または１０に記載の情報処理装置。
【発明の詳細な説明】
【技術分野】
【０００１】
本発明は、情報処理装置および情報処理システムに関する。
【背景技術】
【０００２】
原稿を読み取って原稿中の文字を認識する文字認識が知られている。このような処理は、光学文字認識（Ｏｐｔｉｃａｌ  Ｃｈａｒａｃｔｅｒ  Ｒｅｃｏｇｎｉｔｉｏｎ：ＯＣＲ）処理とも呼ばれる。光学文字認識処理では、画像データを文字コードデータに変換する。
【０００３】
ＭＦＰでスキャンしたデータをＯＣＲサーバーに送信し、ＯＣＲサーバーがＯＣＲ処理を実行するスキャンシステムが検討されている（例えば、特許文献１）。特許文献１のスキャンシステムでは、スキャンしたデータのうちフォーマットデータ部分を消去した上で、残った文字列をＯＣＲ処理している。
【先行技術文献】
【特許文献】
【０００４】
【特許文献１】特開２０１８−１６０８９７号公報
【発明の概要】
【発明が解決しようとする課題】
【０００５】
しかしながら、特許文献１のスキャンシステムでは、ＯＣＲサーバーに搭載されたＯＣＲ実行部は１種類のみであり、用途に応じて異なるＯＣＲ処理を行うことができなかった。
【０００６】
本発明は上記課題に鑑みてなされたものであり、その目的は、複数の情報処理部を選択して使用可能な情報処理装置および情報処理システムを提供することにある。
【課題を解決するための手段】
【０００７】
本発明による情報処理システムは、画像読取装置と、情報処理装置とを備える。前記画像読取装置は、原稿を読み取って対象画像データを生成する。前記情報処理装置は、前記対象画像データを処理する。前記情報処理装置は、第１変換処理部と、第２変換処理部と、選択部とを備える。前記第１変換処理部は、画像データを文字コードデータに変換可能である。前記第２変換処理部は、画像データを文字コードデータに変換可能である。前記選択部は、前記第１変換処理部および前記第２変換処理部のいずれが前記対象画像データを文字コードに変換するかを選択する。
【０００８】
本発明による情報処理装置は、第１変換処理部と、第２変換処理部と、通信部と、選択部とを備える。前記第１変換処理部は、画像データを文字コードデータに変換可能である。前記第２変換処理部は、画像データを文字コードデータに変換可能である。前記通信部は、対象画像データを受信する。前記選択部は、前記第１変換処理部および前記第２変換処理部のいずれが前記対象画像データを文字コードに変換するかを選択する。
【発明の効果】
【０００９】
本発明によれば、複数の情報処理部を選択して使用できる。
【図面の簡単な説明】
【００１０】
【図１】本実施形態の情報処理システムの模式図である。
【図２】本実施形態の情報処理システムの模式的なブロック図である。
【図３】本実施形態の情報処理システムにおける情報処理装置による情報処理のフロー図である。
【図４】本実施形態の情報処理システムにおける情報処理装置による情報処理のフロー図である。
【図５】本実施形態の情報処理システムの模式的なブロック図である。
【図６】本実施形態の情報処理システムにおける領域の指定された画像データの模式図である。
【図７】本実施形態の情報処理システムの模式的なブロック図である。
【図８】（ａ）〜（ｃ）は、本実施形態の情報処理システムにおける画像読取装置の表示部の表示画面を示す模式図である。
【図９】本実施形態の情報処理システムにおける画像読取装置による情報処理のフロー図である。
【図１０】本実施形態の情報処理システムにおける情報処理装置による情報処理のフロー図である。
【図１１】本実施形態の情報処理システムの模式的なブロック図である。
【図１２】（ａ）および（ｂ）は、本実施形態の情報処理システムにおける画像読取装置の表示部の表示画面を示す模式図である。
【図１３】本実施形態の情報処理システムの模式図である。
【発明を実施するための形態】
【００１１】
以下、図面を参照して本発明の実施形態を説明する。なお、図中、同一または相当部分については同一の参照符号を付して説明を繰り返さない。
【００１２】
まず、図１を参照して、本実施形態の情報処理システム１００の構成を説明する。図１は、情報処理システム１００の模式図である。情報処理システム１００は、画像読取装置１０と、情報処理装置２０とを備える。
【００１３】
画像読取装置１０および情報処理装置２０はネットワークＮで接続されている。ネットワークＮは、ローカル・エリア・ネットワーク（Ｌｏｃａｌ  Ａｒｅａ  Ｎｅｔｗｏｒｋ：ＬＡＮ）であってもよく、ワイド・エリア・ネットワーク（Ｗｉｄｅ  Ａｒｅａ  Ｎｅｔｗｏｒｋ：ＷＡＮ）であってもよい。あるいは、ネットワークＮは、インターネットであってもよい。
【００１４】
画像読取装置１０は、原稿を読み取って対象画像データＯＧを生成する。画像読取装置１０は、対象画像データＯＧを情報処理装置２０に送信する。
【００１５】
対象画像データＯＧのファイル形式は特に限定されない。例えば、対象画像データＯＧのファイル形式は、ポータブル・ドキュメント・フォーマット（Ｐｏｒｔａｂｌｅ  Ｄｏｃｕｍｅｎｔ  Ｆｏｒｍａｔ：ＰＤＦ）、ポータブル・ネットワーク・グラフィックス（Ｐｏｒｔａｂｌｅ  Ｎｅｔｗｏｒｋ  Ｇｒａｐｈｉｃｓ：ＰＮＧ）、タグドイメージファイルフォーマット（Ｔａｇｇｅｄ  Ｉｍａｇｅ  Ｆｉｌｅ  Ｆｏｒｍａｒｔ：ＴＩＦＦ）またはジョイントフォトグラフィックエキスパーツグループ（Ｊｏｉｎｔ  Ｐｈｏｔｏｇｒａｐｈｉｃ  Ｅｘｐｅｒｔｓ  Ｇｒｏｕｐ：ＪＰＥＧ）のいずれであってもよい。
【００１６】
情報処理装置２０は、画像読取装置１０から対象画像データＯＧを受信する。ここでは、対象画像データＯＧの送信元は、画像読取装置１０である。
【００１７】
情報処理装置２０は、対象画像データＯＧを処理する。情報処理装置２０は、対象画像データＯＧを文字コードデータに変換する。情報処理装置２０は、光学文字認識（Ｏｐｔｉｃａｌ  Ｃｈａｒａｃｔｅｒ  Ｒｅｃｏｇｎｉｔｉｏｎ：ＯＣＲ）処理により、対象画像データＯＧを文字コードデータＣＤに変換する。例えば、情報処理装置２０はサーバーである。文字コードデータＣＤは、言語、数字または記号を示すデータである。
【００１８】
文字コードデータＣＤのファイル形式は特に限定されない。例えば、文字コードデータＣＤのファイル形式は、エクステンシブル・マークアップ・ランゲージ（Ｅｘｔｅｎｓｉｂｌｅ  Ｍａｒｋｕｐ  Ｌａｎｇｕａｇｅ：ＸＭＬ）、ＰＤＦ、文書作成ソフトウェア、表計算ソフトウェアおよびプレゼンテーションソフトウェアのいずれであってもよい。
【００１９】
例えば、情報処理装置２０は、文字コードデータＣＤを保存する。情報処理装置２０自身が、文字コードデータを記憶してもよい。または、情報処理装置２０は、別の記憶装置が文字コードデータを記憶するように文字コードデータを送信してもよい。例えば、情報処理装置２０は、文字コードデータを画像読取装置１０に送信してもよい。あるいは、情報処理装置２０は、文字コードデータを別の機器にファクスしてもよい。
【００２０】
情報処理装置２０は、画像読取装置１０と連動して動作してもよい。例えば、画像読取装置１０には、情報処理装置２０を駆動するためのアプリケーションソフトウェアがインストールされていてもよい。画像読取装置１０のアプリケーションソフトウェアの起動により、画像読取装置１０は、情報処理装置２０と連動して動作する。
【００２１】
情報処理システム１００は、情報処理装置３０をさらに備えてもよい。情報処理装置３０はネットワークＮに接続されている。情報処理装置２０は、情報処理装置３０に文字コードデータＣＤを送信できる。情報処理装置３０は、文字コードデータＣＤを処理する。情報処理装置３０は、例えば、パーソナルコンピューター（Ｐｅｒｓｏｎａｌ  Ｃｏｍｐｕｔｅｒ：ＰＣ）またはスマートフォン（Ｓｍａｒｔ  Ｐｈｏｎｅ）を含む。
【００２２】
次に、図１および図２を参照して、本実施形態の情報処理システム１００を説明する。図２は、本実施形態の情報処理システム１００のブロック図である。
【００２３】
画像読取装置１０は、読取部１２と、通信部１６と、制御部１７とを備える。制御部１７は、読取部１２および通信部１６を制御する。制御部１７は、プロセッサーを含む。プロセッサーは、中央処理演算機（Ｃｅｎｔｒａｌ  ＰｒｏｃｅｓｓｉｎｇＵｎｉｔ：ＣＰＵ）を含んでもよい。あるいは、プロセッサーは、マイクロコンピューターを含んでもよい。または、プロセッサーは、特定用途用集積回路（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）を含んでもよい。
【００２４】
読取部１２は、原稿を読み取って画像データを生成可能である。読取部１２は、原稿を読み取って対象画像データＯＧを生成する。
【００２５】
通信部１６は、外部の電子機器と通信する。ここでは、通信部１６は、対象画像データＯＧを情報処理装置２０に送信する。
【００２６】
情報処理装置２０は、第１変換処理部２２ａと、第２変換処理部２２ｂと、選択部２２ｃと、通信部２６と、制御部２７と、記憶部２７ｓとを備える。制御部２７は、第１変換処理部２２ａと、第２変換処理部２２ｂと、選択部２２ｃと、通信部２６とを制御する。制御部２７は、プロセッサーを含む。プロセッサーは、ＣＰＵ、マイクロコンピューターまたは特定用途用集積回路を含んでもよい。
【００２７】
第１変換処理部２２ａは、画像データを文字コードデータに変換できる。例えば、第１変換処理部２２ａは、対象画像データＯＧを文字コードデータＣＤに変換できる。なお、本明細書において、第１変換処理部２２ａによって変換された文字コードデータを第１文字コードデータまたは文字コードデータＣＤ１と記載することがある。また、本明細書において、第１変換処理部２２ａによる変換処理を第１変換処理と記載することがある。
【００２８】
典型的には、第１変換処理部２２ａが画像データを文字コードデータに変換する場合、第１変換処理の認識率も生成される。認識率は、第１変換処理部２２ａによって適切に変換されたと認識された文字の割合を示す。認識率が高い場合、第１変換処理は誤りなく適切に変換されていることが多い。本明細書において、第１変換処理部２２ａによる認識率を第１認識率と記載することがある。
【００２９】
第２変換処理部２２ｂは、画像データを文字コードデータに変換できる。例えば、第２変換処理部２２ｂは、対象画像データＯＧを文字コードデータＣＤに変換できる。本明細書において、第２変換処理部２２ｂによって変換された文字コードデータを第２文字コードデータまたは文字コードデータＣＤ２と記載することがある。また、本明細書において、第２変換処理部２２ｂによる変換処理を第２変換処理と記載することがある。
【００３０】
第２変換処理部２２ｂが画像データを文字コードデータに変換する場合、第２変換処理の認識率も生成される。本明細書において、第２変換処理部２２ｂによる認識率を第２認識率と記載することがある。
【００３１】
第１変換処理部２２ａおよび第２変換処理部２２ｂは、いずれも画像データを文字コードデータに変換する。例えば、第１変換処理部２２ａは、ある対象画像データを日本語の文字コードデータに変換する。同様に、第２変換処理部２２ｂは、同じ対象画像データを日本語の文字コードデータに変換する。
【００３２】
ただし、対象画像データが同じであり、第１変換処理部２２ａが第２変換処理部２２ｂと同種の変換処理をした場合でも、第１変換処理部２２ａの変換処理は、第２変換処理部２２ｂの変換処理と同じではなく、文字コードデータＣＤ１は、文字コードデータＣＤ２と同じにならないことがある。例えば、第１変換処理部２２ａの変換処理は通常レベルであり、第２変換処理部２２ｂの変換処理は、第１変換処理部２２ａの変換処理よりも優れている。一例では、第２変換処理部２２ｂは、第１変換処理部２２ａの変換処理では正しく変換できない画像データであっても、適切に変換できる。この場合、第２認識率は第１認識率よりも大きい。
【００３３】
選択部２２ｃは、第１変換処理部２２ａおよび第２変換処理部２２ｂのいずれが対象画像データを変換するかを選択する。例えば、選択部２２ｃは、予め定められた手順に従って第１変換処理部２２ａおよび第２変換処理部２２ｂのいずれが対象画像データを変換するかを選択してもよい。一例では、選択部２２ｃは、情報処理装置２０が対象画像データＯＧを受信する前に予め定められた手順に従って第１変換処理部２２ａおよび第２変換処理部２２ｂのいずれが対象画像データを変換するかを選択してもよい。
【００３４】
あるいは、選択部２２ｃは、対象画像データＯＧを生成する画像読取装置１０のユーザーからの指定に従って第１変換処理部２２ａおよび第２変換処理部２２ｂのいずれが対象画像データを変換するかを選択してもよい。例えば、画像読取装置１０は、原稿を読み取って対象画像データを生成し、対象画像データを情報処理装置２０に送信する直前、同時または直後に、第１変換処理部２２ａおよび第２変換処理部２２ｂのいずれが対象画像データを変換するかを指定する。その後、画像読取装置１０からの指定に従って、選択部２２ｃは、第１変換処理部２２ａおよび第２変換処理部２２ｂのいずれが対象画像データを変換するかを選択してもよい。
【００３５】
第１変換処理部２２ａおよび第２変換処理部２２ｂの少なくとも一方は、選択部２２ｃの選択結果に基づいて、対象画像データＯＧを文字コードデータに変換する。例えば、選択部２２ｃが第１変換処理部２２ａを選択する場合、第１変換処理部２２ａは、対象画像データＯＧを文字コードデータＣＤ１に変換する。あるいは、選択部２２ｃが第２変換処理部２２ｂを選択する場合、第２変換処理部２２ｂは、対象画像データＯＧを文字コードデータＣＤ２に変換する。
【００３６】
なお、選択部２２ｃは、第１変換処理部２２ａおよび第２変換処理部２２ｂのいずれかを複数回選択してもよい。例えば、選択部２２ｃは、先に、第１変換処理部２２ａおよび第２変換処理部２２ｂの一方を選択し、変換結果が所定の条件を満たさない場合、後で、第１変換処理部２２ａおよび第２変換処理部２２ｂの他方を選択してもよい。
【００３７】
記憶部２７ｓは、制御プログラムを記憶する。制御プログラムは、非一時的コンピューター読取可能記憶媒体に記憶される。非一時的コンピューター読取可能記憶媒体は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ，磁気テープ、磁気ディスクまたは光データ記憶装置を含む。制御部２７は、記憶部２７ｓに記憶された制御プログラムを実行することによって、情報処理装置２０の各構成要素の動作を制御する。
【００３８】
本実施形態の情報処理システムによれば、第１変換処理部２２ａおよび第２変換処理部２２ｂの少なくとも一方が対象画像データＯＧを文字コードデータに変換する。例えば、第１変換処理部２２ａおよび第２変換処理部２２ｂは、費用または使用料に基づいて選択されてもよい。あるいは、第１変換処理部２２ａおよび第２変換処理部２２ｂは認識率に基づいて選択されてもよい。
【００３９】
なお、対象画像データおよび／または文字コードデータの種類にかかわらず、第１認識率と第２認識率との大小関係は、一定であってもよい。例えば、対象画像データおよび／または文字コードデータの種類にかかわらず、第２認識率が第１認識率よりも大きい場合、第２変換処理部２２ｂの性能は、第１変換処理部２２ａの性能よりも優れている。
【００４０】
なお、第１認識率と第２認識率との大小関係は、対象画像データおよび／または文字コードデータの種類に応じて変化してもよい。例えば、対象画像データを日本語の文字コードデータに変換する場合、第２認識率は第１認識率よりも高く、対象画像データを英語の文字コードデータに変換する場合、第１認識率は第２認識率よりも高くてもよい。
【００４１】
また、第１変換処理部２２ａの使用条件は、第２変換処理部２２ｂの使用条件と異なってもよい。例えば、第１変換処理部２２ａは無償で使用可能であり、第２変換処理部２２ｂは有償で使用可能である。第１変換処理部２２ａはライセンスなしで使用可能であり、第２変換処理部２２ｂはライセンスによって使用可能である。または、第１変換処理部２２ａの使用料は安価であり、第２変換処理部２２ｂの使用料は高価である。あるいは、第１変換処理部２２ａの使用料は定額制であり、第２変換処理部２２ｂの使用料は従量制である。
【００４２】
なお、第１変換処理部２２ａおよび第２変換処理部２２ｂの使用料は、画像データの処理量（使用量）に応じて増大してもよく、画像データの処理量（使用量）にかかわらず一定であってもよい。例えば、第１変換処理部２２ａおよび第２変換処理部２２ｂの使用料は、画像データの処理量（使用量）にかかわらず一定期間にわたって一定であってもよい。
【００４３】
典型的には、第１変換処理部２２ａは、使用料の課されないものであってもよい。例えば、第１変換処理部２２ａは、オープンソースを利用してもよい。
【００４４】
第２変換処理部２２ｂは、使用料の課されるものであってもよい。例えば、第２変換処理部２２ｂは、ベンダーの開発したソフトウェアであってもよい。
【００４５】
例えば、重要度の比較的低い原稿を対象とする場合、選択部２２ｃは、ユーザーの設定に基づいて、使用料の安い情報処理部を選択してもよい。あるいは、重要度の比較的高い原稿を対象とする場合、選択部２２ｃは、ユーザーの設定に基づいて、認識率の高い情報処理部を選択してもよい。さらには、ユーザーは、状況に応じて選択する情報処理部を設定したい場合には、選択部２２ｃは、変換処理ごとに使用する情報処理部をユーザーに問合せ、ユーザーからの指示にしたがって、情報処理部を選択してもよい。あるいは、選択部２２ｃは、ユーザーの予め決めた希望設定条件に基づいて、情報処理部を選択してもよい。
【００４６】
例えば、第１変換処理部２２ａは、画像データを数字および／またはアルファベットの文字コードデータに高い認識率で変換できる一方で、画像データを別の文字コードデータには高い認識率で変換できなくてもよい。また、第２変換処理部２２ｂは、画像データを数字および／またはアルファベットの文字コードデータに高い認識率で変換できてもよい。このように、第１変換処理部２２ａは、マルチバイト文字への変換が不充分であるのに対して、第２変換処理部２２ｂは、マルチバイト文字への変換が充分であってもよい。
【００４７】
なお、第１変換処理部２２ａは、画像データから文字コードデータに変換する際に、文字コードデータの認識率を取得することが好ましい。第１変換処理部２２ａが画像データから文字コードデータに変換する際に正しい変換を行うほど文字コードデータの認識率が高くなる。
【００４８】
例えば、対象画像データで示されている文字の言語について、第１変換処理部２２ａが、自身または読み出し可能なデータベースに、複数種類のフォントを記憶している場合、第１変換処理部２２ａにおける文字コードデータの認識率は高くなる。反対に、対象画像データで示されている文字の言語について、第１変換処理部２２ａが、自身または読み出し可能なデータベースに、１〜２種類のフォントを記憶している場合、第１変換処理部２２ａにおける文字コードデータの認識率は低くなる。同様に、第２変換処理部２２ｂは、画像データから文字コードデータに変換する際に、文字コードデータの認識率を取得することが好ましい。
【００４９】
例えば、第２変換処理部２２ｂは、第１変換処理部２２ａと比べて高精度に変換処理できる一方で、第２変換処理部２２ｂの使用料は第１変換処理部２２ａの使用料よりも高いことがある。一例では、第２変換処理部２２ｂの使用料は使量に応じて定められている一方で、情報処理装置２０のユーザーであれば、第１変換処理部２２ａは制限なく使用可能であってもよい。
【００５０】
第１変換処理部２２ａおよび第２変換処理部２２ｂは、画像データを変換した文字コードデータのうちの一部をメタデータとして抽出してもよい。また、文字コードデータ自体は、ファイルとして保存してもよく、ファイルとして保存しなくてもよい。また、ファイルとして保存する場合、抽出したメタデータをファイル名として付してもよい。
【００５１】
次に、図１〜図３を参照して、本実施形態の情報処理装置２０による情報処理方法を説明する。図３は、本実施形態の情報処理装置２０の情報処理方法のフロー図である。
【００５２】
まず、ステップＳ１０２において対象画像データを受信する。画像読取装置１０は、原稿を読み取って対象画像データＯＧを生成し、対象画像データＯＧを情報処理装置２０に送信する。情報処理装置２０は、対象画像データＯＧを画像読取装置１０から受信する。
【００５３】
ステップＳ１０４において、情報処理装置２０の第１変換処理部２２ａおよび第２変換処理部２２ｂのいずれが対象画像データＯＧを文字コードデータに変換するかを選択する。詳細には、選択部２２ｃは、第１変換処理部２２ａおよび第２変換処理部２２ｂのいずれが対象画像データＯＧを文字コードデータに変換するかを選択する。
【００５４】
選択部２２ｃは、予め定められた手順に従って第１変換処理部２２ａおよび第２変換処理部２２ｂのいずれが対象画像データを変換するかを選択してもよい。あるいは、選択部２２ｃは、画像読取装置１０のユーザーからの指示に従って第１変換処理部２２ａおよび第２変換処理部２２ｂのいずれが対象画像データを変換するかを選択してもよい。
【００５５】
ステップＳ１０６において、選択された変換処理部が対象画像データＯＧを文字コードデータＣＤに変換する。なお、選択部２２ｃにおいて選択された変換処理部の変換結果が所定の要件を満たさない場合、最初に選択部２２ｃにおいて選択されなかった変換処理部が選択され、後で選択された変換処理部が対象画像データＯＧを文字コードデータＣＤに変換してもよい。例えば、選択部２２ｃにおいて最初に選択された変換処理部の認識率が閾値よりも低い場合、選択部２２ｃにおいて最初に選択されなった変換処理部が次に選択され、後で選択された変換処理部が対象画像データＯＧを文字コードデータＣＤに変換してもよい。
【００５６】
ステップＳ１０８において、記憶部２７ｓは文字コードデータＣＤを記憶する。記憶部２７ｓは、文字コードデータをＸＭＬデータとして記憶してもよい。また、記憶部は文字コードデータをメタデータとして記憶してもよい。
【００５７】
または、記憶部２７ｓは、文字コードデータを検索可能に記憶することが好ましい。例えば、記憶部２７ｓは、対象画像データに対応する文字コードデータを検索可能にＰＤＦで記憶してもよい。一例では、記憶部２７ｓは、対象画像データの全体に対応する文字コードデータをＰＤＦで記憶してもよい。あるいは、記憶部２７ｓは、対象画像データの一部に対応する文字コードデータをＰＤＦで記憶してもよい。
【００５８】
図３を参照して説明したように、本実施形態によれば、複数の情報処理部を選択して使用可能である。このため、原稿の重要度およびコスト等に応じて、複数の変換処理を使い分けることができる。
【００５９】
なお、原稿は書式の定まったものであり、対象画像データは、書式の定まった画像データであることが好ましい。例えば、原稿は、書式の定まった請求書である。典型的には、請求書には、請求先、請求額、発行日、振込期限等が記載されている。一般に、発行者の同じ請求書は、同じ書式で発行される。
【００６０】
一例では、請求書の右上には請求先が記載されており、請求書の右下には請求額が記載されている。この場合、画像読取装置１０が請求書を読み取って対象画像データを生成すれば、情報処理装置２０は対象画像データに対応する文字コードデータを生成する。そのため、情報処理装置２０は、原稿を好適に文字コード化できる。
【００６１】
なお、選択部２２ｃは、先に第１変換処理部２２ａを選択して、第１変換処理部２２ａの変換処理の後に、第２変換処理部２２ｂによる変換処理を行うか否かを判定してもよい。第２変換処理部２２ｂによる変換処理を行うか否かは、第１変換処理部２２ａの変換時の認識率と閾値との比較に基づいて判定されてもよい。
【００６２】
例えば、閾値が８０％と設定される場合、第１変換処理部２２ａによる変換処理の認識率が７５％であるとき、第２変換処理部２２ｂは、対象画像データを第２文字コードデータに変換し、対象画像データに対応して第２文字コードデータが用いられる。一方、第１変換処理部２２ａによる変換処理の認識率が８５％であるとき、第２変換処理部２２ｂは変換処理を行わず、対象画像データに対応して第１文字コードデータが用いられる。
【００６３】
なお、対象画像データを文字コードデータに変換した場合には、文字コードデータに基づく表示を人間が目視にて確認することが多い。例えば、第２変換処理部２２ｂの１ヵ月の使用量が決められている場合、当該月中の第２変換処理部２２ｂの使用量に応じて閾値を変更してもよい。あるいは、対象画像データの変換された文字コードデータは検収装置において検収されてよい。
【００６４】
例えば、当該月中に使用可能な第２変換処理部２２ｂの使用量が多い場合、閾値を高くしてもよい。一例では、閾値を８０％から９０％に変更することにより、第１変換処理部２２ａによる変換処理の認識率が８５％であっても、第２変換処理部２２ｂは、対象画像データを第２文字コードデータに変換し、対象画像データに対応して第２文字コードデータが用いられる。
【００６５】
当該月中に使用可能な第２変換処理部２２ｂの使用量が少ない場合、閾値を低くしてもよい。一例では、閾値を８０％から７０％に変更することにより、第１変換処理部２２ａによる変換処理の認識率が７５％であっても、第２変換処理部２２ｂは変換処理を行わず、対象画像データに対応して第１文字コードデータが用いられる。
【００６６】
次に、図１、図２および図４を参照して、本実施形態の情報処理装置２０による情報処理方法を説明する。図４は、本実施形態の情報処理装置２０の情報処理方法のフロー図である。図４のフロー図は、第１変換処理の後に、認識率に応じて第２変換処理を行う点を除いて、図３のフロー図と同様である。このため、冗長を避けるために重複する説明を省略する。
【００６７】
まず、ステップＳ１０２において対象画像データＯＧを受信する。画像読取装置１０は、原稿を読み取って対象画像データＯＧを生成し、対象画像データＯＧを情報処理装置２０に送信する。情報処理装置２０は、対象画像データを画像読取装置１０から受信する。
【００６８】
ステップＳ１０４ａにおいて、選択部２２ｃは、第１変換処理部２２ａを選択する。ここでは、選択部２２ｃは、予め第１変換処理部２２ａを選択するように設定されている。
【００６９】
その後、ステップＳ１０６ａにおいて、第１変換処理部２２ａが対象画像データＯＧを文字コードデータＣＤ１に変換する。第１変換処理において、第１認識率が生成される。
【００７０】
ステップＳ１０７において、選択部１２２ｃは、第１認識率が閾値よりも大きいか判定する。第１認識率が閾値よりも大きいと判定される場合（ステップＳ１０７においてＹｅｓ）、ステップＳ１０８ａに進む。ステップＳ１０８ａにおいて、記憶部２７ｓは文字コードデータＣＤ１を記憶する。
【００７１】
第１認識率が閾値よりも大きくないと判定される場合（ステップＳ１０７においてＮｏ）、ステップＳ１０４ｂに進む。ステップＳ１０４ｂにおいて、選択部２２ｃは、第２変換処理部２２ｂを選択する。ここでは、選択部２２ｃは、第２変換処理部２２ｂを選択するように予め設定されている。
【００７２】
その後、ステップＳ１０６ｂにおいて、第２変換処理部２２ｂが対象画像データＯＧを文字コードデータＣＤ２に変換する。第２変換処理において、第２認識率が生成される。なお、典型的には、第１認識率は第２認識率よりも大きい。その後、ステップＳ１０８ｂにおいて、記憶部２７ｓは文字コードデータＣＤ２を記憶する。情報処理装置２０の情報処理は終了する。
【００７３】
以上のようにして、情報処理装置２０は、対象画像データを文字コードデータに変換する。本実施形態によれば、変換された文字コードデータは、閾値を超えた認識率、または、情報処理装置２０のうちのより高い認識率で変換されているため、十分な精度で変換処理の行われた文字コードデータを使用できる。
【００７４】
なお、図４を参照して上述したステップＳ１０８ｂでは、記憶部２７ｓは、文字コードデータＣＤ２を記憶したが、本実施形態はこれに限定されない。選択部２２ｃは、第２変換処理の後に、第１認識率と第２認識率とを比較してより大きい認識率を判定し、記憶部２７ｓは、より大きい認識率に対応する文字コードデータを記憶してもよい。
【００７５】
なお、情報処理装置２０の設定は、画像読取装置１０において行われてもよい。例えば、選択部１２２ｃによる第１変換処理部２２ａおよび第２変換処理部２２ｂの選択順序は、画像読取装置１０において設定されてもよい。
【００７６】
また、画像読取装置１０において生成された画像データに対する処理の流れ（ワークフロー）は、画像読取装置１０において設定されてもよい。例えば、ワークフローの設定により、書類に応じて文字コードデータを記憶するフォルダーを異ならせることができる。
【００７７】
一例では、個人ＩＤとともに個人情報の記載された複数の書類を画像読取装置１０において読み取って複数の対象画像データを生成することにより、個人ＩＤに応じて作成された複数のフォルダーに複数の書類に記載された個人情報に対応する電子データを個別に保存することができる。
【００７８】
また、ワークフローにより、請求先、請求書番号、請求項目および請求額の記載された複数の請求書を画像読取装置１０において読み取った複数の対象画像データの記憶場所を設定することにより、請求先に応じて作成された複数のフォルダーに複数の書類に記載された請求書関連情報に対応する文字コードデータを個別に保存することができる。
【００７９】
なお、第１変換処理部２２ａが対象画像データに対して第１変換処理を行う場合、第１変換処理部２２ａが対象画像データ全体に対して第１変換処理を行ってもよい。あるいは、第１変換処理部２２ａが対象画像データの一部の領域に対して第１変換処理を行ってもよい。この場合、特定の領域は、予め指定されていることが好ましい。
【００８０】
同様に、第２変換処理部２２ｂが対象画像データに対して第２変換処理を行う場合、第２変換処理部２２ｂが対象画像データ全体に対して第２変換処理を行ってもよい。あるいは、第２変換処理部２２ｂが対象画像データの一部の対象領域に対して第２変換処理を行ってもよい。この場合、対象領域は、予め指定されていることが好ましい。
【００８１】
次に、図５を参照して、本実施形態の情報処理システム１００を説明する。図５は、情報処理システム１００の模式図である。図５の情報処理システム１００は、情報処理装置２０が領域指定部２４をさらに備える点を除いて、図２を参照して上述した情報処理システム１００と同様の構成を有している。このため、冗長を避けるために重複する説明を省略する。
【００８２】
情報処理装置２０は、第１変換処理部２２ａ、第２変換処理部２２ｂ、選択部２２ｃ、通信部２６、制御部２７および記憶部２７ｓに加えて、領域指定部２４をさらに備える。領域指定部２４は、対象画像データのうち変換処理を行う対象領域を指定する。典型的には、情報処理装置２０は、対象画像データを、原稿の頁ごとに分けて受信する。領域指定部２４は、原稿の頁に対応する対象画像データごとに変換処理を行う対象領域を指定する。
【００８３】
領域指定部２４は、画像読取装置１０から受信するすべての対象画像データについて変換処理を行う対象領域を指定してもよい。あるいは、領域指定部２４は、対象画像データに応じて、変換処理を行う対象領域を指定してもよい。例えば、領域指定部２４は、画像読取装置１０からの指定信号に基づいて、対象画像データのうち変換処理を行う対象領域を指定してもよい。
【００８４】
例えば、変換処理を行う対象領域が指定された場合、第１変換処理部２２ａおよび第２変換処理部２２ｂのうちの選択された変換処理部は、対象画像データのうちの指定された対象領域について文字コードに変換する。
【００８５】
一例では、画像読取装置１０のユーザーは、原稿の文字に合わせて、第１変換処理部２２ａおよび第２変換処理部２２ｂのいずれで変換処理を行うかを指定してもよい。例えば、原稿の第１領域に記載される文字は、第１変換処理部２２ａの認識率よりも第２変換処理部２２ｂの認識率が高いと想定される場合、選択部２２ｃは、原稿の第１領域に相当する対象画像データを処理する場合、第１変換処理部２２ａを選択する。一方、原稿の第２領域に記載される文字は、第２変換処理部２２ｂの認識率よりも第１変換処理部２２ａの認識率が高いと想定される場合、選択部２２ｃは、原稿の第２領域に相当する対象画像データを処理する場合、第２変換処理部２２ｂを選択する。
【００８６】
なお、画像読取装置１０が原稿を読み取る場合、同じ原稿であっても、生成された画像データが同一にならないことがある。例えば、画像読取装置１０において原稿自動送り装置（Ａｕｔｏ  Ｄｏｃｕｍｅｎｔ  Ｆｅｅｄｅｒ：ＡＤＦ）を利用して原稿を読み取る場合、読み取り状況に応じて画像データが変動することがある。このため、原稿には特定の基準マークが付されており、情報処理装置２０は、基準マークを基準として対象画像データのうちの対象領域を指定してもよい。
【００８７】
以下、図５および図６を参照して、本実施形態の情報処理システム１００における情報処理装置２０の領域指定について説明する。図６は、領域の指定された対象画像データを示す模式図である。ここでは、原稿は請求書であり、対象画像データは、請求書を読み取ったものである。
【００８８】
図６に示すように、対象画像データには領域Ｒ１、Ｒ２が指定されている。領域Ｒ１は、請求書の請求先欄に対応して指定されている。また、領域Ｒ２は、請求書の請求額に対応して指定されている。
【００８９】
情報処理装置２０の第１変換処理部２２ａおよび第２変換処理部２２ｂのいずれかが領域Ｒ１について変換処理することにより、請求先を示す文字コードデータを生成できる。また、第１変換処理部２２ａおよび第２変換処理部２２ｂのいずれかが領域Ｒ２について変換処理することにより、請求額を示す文字コードデータを生成できる。
【００９０】
なお、原稿の請求書には基準マークＭが記載されているため、領域指定部２４は、基準マークＭを基準として、対象画像データに対して領域Ｒ１、Ｒ２を設定できる。このため、原稿を読み取る際に多少変動した画像データが生成されても、所定の領域を高精度に変換処理できる。
【００９１】
なお、対象画像データの変換処理を行う対象領域を指定する場合、原稿が予め対象領域に対応していたものとは異なると、対象領域についての変換処理結果は実質的な意味をなさないことがある。例えば、第１変換処理部２２ａおよび第２変換処理部２２ｂのいずれかが領域指定部２４で指定された対象領域について変換処理を行った結果、認識率が低い場合、対象画像データの元となった原稿が所定のものではない可能性がある。このため、記憶部２７ｓは、認識率の低い文字コードデータと、認識率の高い文字コードデータとを分けて記憶し、情報処理装置２０は、認識率の高い文字コードデータのみを出力してもよい。
【００９２】
なお、図１〜図６を参照した上述の説明では、選択部２２ｃは、予め定められた手順に従って第１変換処理部２２ａおよび第２変換処理部２２ｂのいずれかを選択したが、本実施形態はこれに限定されない。選択部２２ｃは、対象画像データを生成した画像読取装置１０からの指定に基づいて、第１変換処理部２２ａおよび第２変換処理部２２ｂのいずれかを選択してもよい。
【００９３】
図７を参照して、本実施形態の情報処理システム１００を説明する。図７は、情報処理システム１００の模式図である。情報処理システム１００は、画像読取装置１０と、情報処理装置２０とを備える。図７の情報処理システム１００は、画像読取装置１０が表示部１８および入力部１８ａをさらに備える点を除いて、図７を参照して上述した情報処理システム１００と同様の構成を有している。このため、冗長を避けるために重複する説明を省略する。
【００９４】
画像読取装置１０は、読取部１２、通信部１６および制御部１７に加えて、表示部１８と、入力部１８ａとを備える。制御部１７は、読取部１２、通信部１６、表示部１８および入力部１８ａを制御する。
【００９５】
表示部１８は、ディスプレーを有する。例えば、ディスプレーは液晶ディスプレーまたは有機ＥＬディスプレーを含む。
【００９６】
入力部１８ａは、ユーザーの指示の入力を受け付ける。入力部１８ａは、キーボードおよびマウスを含む。あるいは、入力部１８ａは、タッチセンサーを含み得る。なお、表示部１８および入力部１８ａは、両者の一体化されたタッチパネルであってもよい。
【００９７】
入力部１８ａは、原稿を読み取った対象画像データＯＧを変換する変換処理部を指定するための情報を入力できる。ユーザーは、入力部１８ａにより、情報処理装置２０の第１変換処理部２２ａが対象画像データＯＧを変換処理するように第１変換処理部２２ａを指定できる。この場合、通信部１６は、情報処理装置２０の通信部２６に、第１変換処理部２２ａが指定されたことを示す指定信号を送信する。指定信号の送信は、対象画像データＯＧの送信の直前、同時、または直後であってもよい。
【００９８】
あるいは、ユーザーは、入力部１８ａにより、情報処理装置２０の第２変換処理部２２ｂが対象画像データＯＧを変換処理するように第２変換処理部２２ｂを指定できる。この場合、通信部１６は、情報処理装置２０の通信部２６に、第２変換処理部２２ｂが指定されたことを示す指定信号を送信する。指定信号の送信は、対象画像データＯＧの送信の直前、同時、または直後であってもよい。
【００９９】
情報処理装置２０は、第１変換処理部２２ａと、第２変換処理部２２ｂと、選択部２２ｃと、通信部２６と、制御部２７と、記憶部２７ｓとを備える。記憶部２７ｓは、認識率情報２７ｔおよび閾値情報２７ｕを記憶する。
【０１００】
認識率情報２７ｔは、変換処理ごとの認識率に分かれている。詳細には、認識率情報２７ｔは、第１変換処理部２２ａによる第１認識率と、第２変換処理部２２ｂによる第２認識率とに分かれている。さらに、認識率情報２７ｔは、ワークフローごとの認識率に分かれていることが好ましい。この場合、原稿の書式が同じであるため、過去の認識率を用いた判定が妥当となる蓋然性が高い。
【０１０１】
閾値情報２７ｕは、ワークフローごとの閾値に分かれていることが好ましい。例えば、原稿に記載された多くの数字を変換処理する場合、閾値は低くてもよい。あるいは、原稿に記載された多くの文章を変換処理する場合、閾値は高いことが好ましい。このように、原稿に記載された文字の種類に応じて、用いる閾値を異ならせてもよい。
【０１０２】
本実施形態によれば、画像読取装置１０が、原稿を読み取った画像データを変換する変換処理部を選択できる。このため、画像読取装置１０のユーザーは、ユーザーの要望にしたがって情報処理装置２０のいずれの変換処理部で原稿を読み取った画像データを変換処理するかを決定できる。
【０１０３】
画像読取装置１０は、ユーザーが情報処理装置２０のいずれの変換処理部で変換処理をするかを指定する前に、ユーザーに変換処理についての情報を表示することが好ましい。表示部１８は、情報処理装置２０の第１変換処理部２２ａおよび第２変換処理部２２ｂのいずれかを選択する前に変換処理についての情報を表示する。
【０１０４】
この場合、画像読取装置１０は、表示部１８が変換処理についての情報を表示する前に、変換処理についての情報を情報処理装置２０から読み出すことが好ましい。画像読取装置１０の通信部１６は、情報処理装置２０の通信部２６に、記憶部２７ｓの認識率情報２７ｔを送信するように要求する。通信部２６は、通信部１６からの要求にしたがって認識率情報２７ｔを通信部２６に送信する。このため、表示部１８は、認識率情報２７ｔを表示できる。
【０１０５】
次に、図８を参照して本実施形態の画像読取装置１０における情報処理部の指定について説明する。図８（ａ）〜図８（ｃ）は、画像読取装置１０の表示部１８の表示画面の模式図である。
【０１０６】
図８（ａ）は、原稿Ｒの読取変換処理を開始する際の表示部１８の表示画面の模式図である。図８（ａ）に示すように、表示部１８の表示画面は、複数のブロックを表示する。表示部１８は、上方に左右方向に並んだ４つのブロックを表示するともに、下方に左右方向に並んだ４つのブロックを表示し、合計８つのブロックを表示する。上方左端のブロックには、ワークフロー１として「Ａ社請求書」と表示されている。ユーザーが入力部１８ａを介してこのブロックを選択すると、画像読取装置１０の通信部１６は情報処理装置２０の通信部２６と通信して、情報処理装置２０の記憶部２７ｓから「Ａ社請求書」に関する情報を読み出して、表示部１８の表示画面に表示する。
【０１０７】
なお、図８（ａ）に示すように、表示部１８の上方には、左端のブロックと同様に、左から順番に、ワークフロー２、ワークフロー３およびワークフロー４に対応するブロックが表示される。ワークフロー２は「Ａ社見積書」に対応し、ワークフロー３は「Ａ社発注書」に対応し、ワークフロー４は「Ｂ社請求書」に対応している。
【０１０８】
さらに、表示部１８の表示画面の下方には左から順番に、ワークフロー５、ワークフロー６、ワークフロー７、およびワークフロー８に対応するブロックが表示される。ワークフロー５は「Ｂ社見積書」に対応し、ワークフロー６は「Ｃ社見積書」に対応し、ワークフロー７は「交通費精算」に対応し、ワークフロー８は「領収書」に対応する。
【０１０９】
例えば、画像読取装置１０のユーザーが、交通費精算に関する原稿を読み取る場合、画像読取装置１０のユーザーは、入力部１８ａを介してワークフロー７のブロックを選択する。ワークフロー７のブロックが選択されると、通信部１６は、情報処理装置２０の通信部２６を介して、情報処理装置２０の記憶部２７ｓに記憶された交通費精算に関する認識率を読み出す。画像読取装置１０の表示部１８は、読み出した認識率を表示画面に表示する。
【０１１０】
図８（ｂ）は、ワークフロー７が選択された場合の表示部１８の表示画面を示す模式図である。図８（ｂ）に示すように、表示部１８は、変換処理情報、読取解像度、原稿サイズ、原稿向き、および、文字コードデータの出力先を設定するための表示画面を表示する。
【０１１１】
変換処理情報には、選択可能な変換処理部と、その費用および認識率を表示する。ここでは、情報処理装置２０は、使用毎には料金の課されない第１変換処理部２２ａおよび使用毎に料金の課される第２変換処理部２２ｂを備えるため、表示部１８は、変換処理情報として第１変換処理部２２ａおよび第２変換処理部２２ｂを表示しており、第２変換処理部２２ｂの横には「有償」と付されている。また、変換処理情報は、第１変換処理部２２ａおよび第２変換処理部２２ｂが過去に交通費精算に関する原稿を読み取った際の平均認識率を含む。なお、平均認識率は、過去の交通費精算に関するすべての原稿の平均認識率であってもよい。あるいは、平均認識率は、過去の１カ月間の交通費精算に関する原稿の平均認識率であってもよい。
【０１１２】
図８（ｂ）では、第１変換処理部２２ａの平均認識率は７５％であり、第２変換処理部２２ｂの平均認識率は８０％である。
【０１１３】
画像読取装置１０のユーザーは、変換処理情報から、第１変換処理部２２ａおよび第２変換処理部２２ｂを選択できる。例えば、ユーザーは、第１変換処理部２２ａに対応する領域をタッチすることにより、第１変換処理部２２ａを選択できる。また、ユーザーは、第２変換処理部２２ｂに対応する領域をタッチすることにより、第２変換処理部２２ｂを選択できる。
【０１１４】
表示部１８は、読取解像度の候補として複数の読取解像度を表示する。読取解像度の候補は、３００×３００、６００×６００、１２００×１２００である。画像読取装置１０のユーザーは、読取解像度から、読取解像度を選択できる。例えば、ユーザーは、読取部１２の読取解像度として、３００×３００を選択できる。読取処理を行う場合、読取部１２は、選択された読取解像度で原稿を読み取って対象画像データを生成する。その後、対象画像データは、通信部１６から情報処理装置２０の通信部２６に送信される。
【０１１５】
表示部１８は、原稿サイズの候補を表示する。ここでは、原稿サイズの候補は、Ａ３、Ａ４、Ａ５である。画像読取装置１０のユーザーは、原稿サイズの候補から、原稿のサイズを選択する。例えば、原稿のサイズがＡ４である場合、ユーザーは、原稿のサイズとしてＡ４を選択する。読取処理を行う場合、読取部１２は、選択されたサイズで原稿を読み取って対象画像データを生成する。
【０１１６】
表示部１８は、原稿の向きを表示する。ここでは、原稿の向きは、縦または横である。原稿の向きが縦である場合、原稿の長手方向が、読取部１２の主走査方向に延びて配置されるように設定される。原稿の向きが横である場合、原稿の長手方向が、読取部１２の副走査方向に延びて配置されるように設定される。例えば、原稿の長手方向が主走査方向に沿って配置される場合、ユーザーは、原稿の向きを縦と選択する。読取処理を行う場合、読取部１２は、選択された向きおよびサイズの領域で原稿を読み取って対象画像データを生成する。
【０１１７】
表示部１８は、文字コードデータの出力先を表示する。情報処理装置２０において対象画像データから変換された文字コードデータは、指定された出力先に送信される。ここでは、文字コードデータは、電子メールにて、所定のアドレスに向けて出力される。
【０１１８】
上述したように、情報処理装置２０における第１変換処理部２２ａは使用に応じて料金が課されない一方で、第２変換処理部２２ｂは使用に応じて料金が課されることがある。この場合、費用の増大を防ぐために、第１変換処理部２２ａの過去の認識率が比較的高い場合、今回の原稿の画像データを第１変換処理部２２ａで変換処理しても、認識率は比較的高くなる蓋然性が高い。この場合、第２変換処理部２２ｂが選択されないように、表示部１８は第２変換処理部２２ｂをグレーアウトに表示してもよい。
【０１１９】
図８（ｃ）は、ワークフロー１が選択された場合の表示部１８の表示画面を示す模式図である。図８（ｃ）は、選択されたワークフローおよび平均認識率を除き、図８（ｂ）と同様であるため、重複する説明を省略する。
【０１２０】
なお、図８（ｃ）では、第１変換処理部２２ａの平均認識率は８０％であり、第２変換処理部２２ｂの平均認識率は８５％である。このように、ワークフロー１の「Ａ社請求書」では、第１変換処理部２２ａの平均認識率が比較的高い。したがって、第２変換処理部２２ｂを使用するまでもなく第１変換処理部２２ａによって原稿の画像データを高い認識率で文字データに変換できる可能性が高い。このため、表示部１８は、第２変換処理部２２ｂをグレーアウトに表示している。これにより、画像読取装置１０のユーザーは、第２変換処理部２２ｂではなく第１変換処理部２２ａを選択するため、費用の発生を抑制できる。
【０１２１】
次に、図１、図７から図９を参照して、本実施形態の画像読取装置１０による情報処理方法を説明する。図９は、本実施形態の画像読取装置１０の情報処理方法のフロー図である。
【０１２２】
まず、ステップＳ２０２において、画像読取装置１０は、原稿の読取変換処理のための表示画面を表示する。詳細には、画像読取装置１０のユーザーが入力部１８ａに文字認識処理を開始するよう入力すると、表示部１８は、文字認識処理のための表示画面を表示する。例えば、表示部１８は、図８（ａ）に示した表示画面を表示する。
【０１２３】
ステップＳ２０４において、画像読取装置１０のユーザーは、文字認識処理のための表示画面のうちの特定のワークフローを選択する。
【０１２４】
ステップＳ２０６において、通信部１６は、特定のワークフローについての情報を読み出すように要求を情報処理装置２０に送信する。
【０１２５】
ステップＳ２０８において、通信部１６は、特定のワークフローについての情報を情報処理装置２０から受信する。例えば、通信部１６は、特定のワークフローについての平均認識率を受信する。
【０１２６】
ステップＳ２１０において、表示部１８は、特定のワークフローについての情報を表示する。例えば、表示部１８は、図８（ｂ）に示した表示画面を表示する。
【０１２７】
ステップＳ２１２において、制御部１７は、入力部１８ａに入力があるか否かを判定する。入力部１８ａに入力がないと判定される場合（ステップＳ２１２においてＮｏ）、処理はステップＳ２１２に戻り、入力部１８ａに入力があるまで待機する。
【０１２８】
制御部１７が入力部に入力があると判定する場合（ステップＳ２１２においてＹｅｓ）、ステップＳ２１４に進む。
【０１２９】
ステップＳ２１４において、読取部１２は、入力部１８ａからの入力にしたがって原稿を読み取り、対象画像データを生成する。
【０１３０】
ステップＳ２１６において、通信部１６は、対象画像データを情報処理装置２０に送信する。また、通信部１６は、第１変換処理部２２ａおよび第２変換処理部２２ｂのいずれかを指定した指定信号を情報処理装置２０に送信する。以上のようにして、画像読取装置１０による情報処理方法を終了する。
【０１３１】
このようにして、画像読取装置１０は、原稿の対象画像データとともに第１変換処理部２２ａおよび第２変換処理部２２ｂのいずれかを指定した指定信号を情報処理装置２０に送信する。その後、情報処理装置２０において、指定信号で指定された変換処理部が対象画像データを文字コードデータに変換する。例えば、情報処理装置２０は、図２を参照して上述したように、対象画像データを文字コードデータに変換する。したがって、画像読取装置１０のユーザーは、ユーザーの要望に応じて原稿を文字コードデータに変換できる。
【０１３２】
なお、上述したように、画像読取装置１０からの指定信号によって第１変換処理部２２ａが指定されている場合、第１変換処理部２２ａは、対象画像データを文字コードデータに変換する一方で、第２変換処理部２２ｂは、対象画像データを文字コードデータに変換しない。第２変換処理部２２ｂが変換処理を行わないことにより、新たな費用の発生を抑制できる。
【０１３３】
上述したように、画像読取装置１０のユーザーは、画像読取装置１０において原稿の対象画像データを変換処理するための情報処理部を指定できる。なお、図７〜図９を参照した上述の説明では、画像読取装置１０において指定された情報処理部が対象画像データを文字コードデータに変換したが、本実施形態はこれに限定されない。画像読取装置１０において指定された情報処理部が対象画像データを文字コードデータに変換して出力する一方で、画像読取装置１０において指定されなかった情報処理部が対象画像データを文字コードデータに変換してもよい。例えば、画像読取装置１０からの指定信号の内容にかかわらず、情報処理装置２０の第１変換処理部２２ａは、対象画像データを文字コードデータに変換してもよい。
【０１３４】
本実施形態の情報処理システム１００において、第１変換処理部２２ａは、画像読取装置１０からの指定信号の内容にかかわらず、対象画像データを文字コードデータに変換する。第１変換処理部２２ａは、画像読取装置１０からの指定信号によって第１変換処理部２２ａが指定されている場合、第１変換処理部２２ａは、対象画像データを文字コードデータに変換する。
【０１３５】
詳細には、画像読取装置１０からの指定信号が第２変換処理部２２ｂを指定する場合、第２変換処理部２２ｂは、対象画像データＯＧを文字コードデータＣＤ２に変換し、文字コードデータＣＤ２を出力する。一方、本実施形態では、画像読取装置１０からの指定信号が第２変換処理部２２ｂを指定している場合でも、第１変換処理部２２ａは、対象画像データＯＧを文字コードデータＣＤ１に変換する。ただし、この場合、文字コードデータＣＤ１は出力されないが、対象画像データＯＧを文字コードデータＣＤ１に変換する際の第１認識率が取得される。記憶部２７ｓは、対象画像データＯＧの第１変換処理時の第１認識率を用いて、認識率を更新する。第１変換処理部２２ａが対象画像データＯＧを変換処理することにより、新たな費用を発生させることなく、より正確な認識率を取得できる。
【０１３６】
次に、図１０を参照して、本実施形態の情報処理装置２０による情報処理方法を説明する。図１０は、本実施形態の情報処理装置２０の情報処理方法のフロー図である。図１０のフロー図は、画像読取装置１０からの指定信号の指定内容にかかわらず、第１変換処理部２２ａが対象画像データを文字コードデータに変換する点を除いて、図２を参照してフロー図と同様である。このため、冗長を避けるために重複する説明を省略する。
【０１３７】
まず、ステップＳ１０２において対象画像データを受信する。画像読取装置１０は、原稿を読み取って対象画像データＯＧを生成し、対象画像データＯＧを情報処理装置２０に送信する。情報処理装置２０は、対象画像データを画像読取装置１０から受信する。
【０１３８】
ステップＳ１０４ａにおいて、選択部２２ｃは、指定信号において第１変換処理部２２ａが指定されているかを判定する。第１変換処理部２２ａが指定されている場合（ステップＳ１０４ａにおいてＹｅｓ）、ステップＳ１０４ｂに進む。ステップＳ１０４ｂにおいて、選択部２２ｃは、第１変換処理部２２ａを選択する。
【０１３９】
その後、ステップＳ１０６ａにおいて、第１変換処理部２２ａは、対象画像データＯＧを文字コードデータＣＤ１に変換する。この場合、第１変換処理部２２ａが第１変換処理をする一方で、第２変換処理部２２ｂは第２変換処理しない。
【０１４０】
その後、ステップＳ１０８ａにおいて、記憶部２７ｓは、文字コードデータＣＤ１を記憶する。なお、文字コードデータＣＤ１は、必要に応じて出力される。その後、処理は終了する。
【０１４１】
また、第１変換処理部２２ａが指定されていない場合（ステップＳ１０４ａにおいてＮｏ）、ステップＳ１０４ｃに進む。ステップＳ１０４ｃにおいて、選択部２２ｃは、第１変換処理部２２ａとともに第２変換処理部２２ｂを選択する。
【０１４２】
その後、ステップＳ１０６ｂにおいて、第１変換処理部２２ａが対象画像データＯＧを文字コードデータＣＤ１に変換するとともに、第２変換処理部２２ｂが対象画像データＯＧを文字コードデータＣＤ２に変換する。
【０１４３】
その後、ステップＳ１０８ｂにおいて、記憶部２７ｓは、文字コードデータＣＤ２を記憶する。なお、文字コードデータＣＤ２は、必要に応じて出力される。一方、記憶部２７ｓは、文字コードデータＣＤ１を記憶せず、文字コードデータＣＤ１は出力されない。ただし、記憶部２７ｓは、対象画像データＯＧを第１変換処理した際の第１認識率を記憶する。例えば、記憶部２７ｓは、第１変換処理部２２ａによる第１変換処理時の認識率を更新する。その後、処理は終了する。
【０１４４】
図７〜図１０を参照した上述の説明では、記憶部２７ｓは、第１認識率および第２認識率を記憶していたが、本実施形態はこれに限定されない。記憶部２７ｓは、第１変換処理部２２ａによる第１文字コードデータと第１変換処理部２２ａによる第２文字コードデータとの一致率を記憶していてもよい。
【０１４５】
以下、図１１を参照して本実施形態の情報処理システム１００を説明する。図１１は、本実施形態の情報処理システム１００の模式図である。図１１の情報処理システム１００は、情報処理装置２０が比較部２５をさらに備える点を除いて、図７を参照して上述した情報処理システム１００と同様の構成を有している。このため、冗長を避けるために重複する説明を省略する。
【０１４６】
情報処理装置２０は、第１変換処理部２２ａ、第２変換処理部２２ｂ、選択部２２ｃ、通信部２６、制御部２７、記憶部２７ｓに加えて比較部２５をさらに備える。比較部２５は、文字コードデータＣＤ１および文字コードデータＣＤ２が生成された場合に、文字コードデータＣＤ１と文字コードデータＣＤ２とを比較する。比較部２５は、比較結果に基づいて、文字コードデータＣＤ１と文字コードデータＣＤ２との一致率を生成する。文字コードデータＣＤ１が文字コードデータＣＤ２と等しい場合、一致率は１００％である。また、文字コードデータＣＤ１が文字コードデータＣＤ２と完全に異なる場合、一致率は０％である。
【０１４７】
記憶部２７ｓは、一致率情報１７ｖを記憶する。また、記憶部２７ｓは、一致率を判定するための閾値を記憶してもよい。一致率情報は、画像読取装置１０の表示部１８に表示されてもよい。
【０１４８】
図１２は、ワークフロー７が選択された場合の表示部１８の表示画面を示す模式図である。図１２に示すように、表示部１８は、変換処理情報、読取解像度、原稿サイズ、原稿向き、および、文字コードデータの出力先を設定するための表示画面を表示する。なお、図１２の表示画面は、変換処理情報として一致率が表示されている点を除いて、図８（ｂ）に示した表示画面と同様である。このため、冗長を避けるために重複する説明を省略する。
【０１４９】
図１２（ａ）は、ワークフロー７が選択された場合の表示部１８の表示画面を示す模式図である。図１２（ａ）に示すように、変換処理情報として一致率が表示されている。ここでは、一致率は、過去の交通費精算に関する書類を読み取った際の文字コードデータＣＤ１と文字コードデータＣＤ２との一致率を示す。図１２（ａ）において、一致率は９８％である。
【０１５０】
図１２（ｂ）は、ワークフロー１が選択された場合の表示部１８の表示画面を示す模式図である。図１２（ｂ）に示すように、変換処理情報として一致率が表示されている。ここでは、一致率は、過去のＡ社請求書に関する書類を読み取った際の文字コードデータＣＤ１と文字コードデータＣＤ２との一致率を示す。図１２（ｂ）において、一致率は１００％である。この場合、少なくとも過去のＡ社請求書に関しては、第１変換処理部２２ａによる第１変換処理で充分であり、第２変換処理部２２ｂによる第２変換処理までは不要であったことが理解される。このように、画像読取装置１０のユーザーは、一致率の観点から情報処理装置２０の第１変換処理部２２ａではなく第２変換処理部２２ｂを使用する意義があるか否かを判断できる。
【０１５１】
上述したように、一致率は１００％である場合、第２変換処理部２２ｂを使用するまでもない。このため、図１２（ｂ）に示すように、第２変換処理部２２ｂが選択されないように、表示部１８は第２変換処理部２２ｂをグレーアウトに表示してもよい。また、一致率が一致率閾値よりも高い場合、表示部１８は、第２変換処理部２２ｂをグレーアウトに表示してもよい。
【０１５２】
本実施形態によれば、画像読取装置１０のユーザーは、画像読取装置１０において原稿の対象画像データを変換処理するための情報処理部を指定できる。なお、図７〜図９を参照した上述の説明では、画像読取装置１０において指定された情報処理部が対象画像データを文字コードデータに変換したが、本実施形態はこれに限定されない。画像読取装置１０において指定された情報処理部が対象画像データを文字コードデータに変換して出力として用いる一方で、画像読取装置１０において指定されなかった情報処理部が対象画像データを文字コードデータに変換してもよい。
【０１５３】
なお、図１〜図１２を参照した上述の説明では、情報処理装置２０は、画像データを文字コードデータに変換したが、本実施形態はこれに限定されない。情報処理装置２０は、画像データの二次元コードを抽出して処理可能であってもよい。
【０１５４】
また、図１〜図１２を参照して上述した説明では、情報処理装置２０は、画像読取装置１０において原稿を読み取った対象画像データＯＧを受信したが、本実施形態はこれに限定されない。情報処理装置２０は、別の機器から対象画像データＯＧを受信してもよい。例えば、情報処理装置２０に対象画像データを送信する装置は、ファクス装置であってもよく、パーソナルコンピューター（Ｐｅｒｓｏｎａｌ  Ｃｏｍｐｕｔｅｒ：ＰＣ）またはスマートフォン（Ｓｍａｒｔ  Ｐｈｏｎｅ）等の別の情報処理装置であってもよい。また、情報処理装置２０は、電子メールに添付された画像データを処理してもよい。あるいは、情報処理装置２０は、ファクス通信を介して受信した画像データを処理してもよい。
【０１５５】
次に、図１および図１３を参照して、本実施形態の情報処理システムを説明する。図１３は、本実施形態の情報処理システム１００の模式図である。
【０１５６】
情報処理装置２０は、複合機、サーバーまたは情報処理端末から対象画像データＯＧを受信してもよい。また、情報処理装置２０は、電子メールとして対象画像データＯＧを受信してもよい。
【０１５７】
情報処理装置２０は、対象画像データＯＧを文字コードデータに変換可能であるとともに二次元コードを抽出して読み取り可能である。情報処理装置２０は、変換した文字コードデータおよび読み取った二次元コードに示されるデータを記憶する。また、情報処理装置２０は、変換した文字コードデータおよび読み取った二次元コードに示されるデータをメタデータとして記憶してもよい。例えば、データのフォーマットは、ＸＭＬ、ＰＤＦ、文書作成ソフトウェア、表計算ソフトウェアおよびプレゼンテーションソフトウェアのいずれの形式であってもよい。
【０１５８】
情報処理装置２０は、処理されたデータを所定の記憶素子に記憶してもよい。例えば、情報処理装置２０は、処理されたデータを情報処理装置２０の記憶素子に記憶してもよい。あるいは、情報処理装置２０は、処理されたデータを記憶可能な外部装置に処理されたデータを出力してもよい。または、情報処理装置２０は、処理されたデータを電子メールとして外部装置に送信してもよい。例えば、情報処理装置２０は、外部データベースまたはクラウトストレージに送信してもよい。あるいは、情報処理装置２０は、画像データを生成した画像読取装置１０に処理されたデータを送信してもよい。
【０１５９】
また、画像読取装置１０において情報処理装置２０のワークフローを設定してもよい。この場合、画像読取装置１０にインストールされたアプリケーションを利用できる。
【０１６０】
また、図１〜図１３を参照して上述した説明では、情報処理装置２０は、画像データを文字コードデータに変換したが、本実施形態はこれに限定されない。情報処理装置２０は、文字コードデータを別の文字コードデータに変換してもよい。あるいは、情報処理装置２０は、文字コードデータに電子署名を付してもよい。
【０１６１】
以上、図面を参照しながら本発明の実施形態について説明した。ただし、本発明は、上記の実施形態に限定されるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【産業上の利用可能性】
【０１６２】
本発明は、情報処理装置および情報処理システムに関するものであり、産業上の利用可能性を有する。
【符号の説明】
【０１６３】
１０  画像読取装置
２０  情報処理装置
１００  情報処理システム
【図１】
2020135296.tif 000003
【図２】
2020135296.tif 000004
【図３】
2020135296.tif 000005
【図４】
2020135296.tif 000006
【図５】
2020135296.tif 000007
【図６】
2020135296.tif 000008
【図７】
2020135296.tif 000009
【図８】
2020135296.tif 000010
【図９】
2020135296.tif 000011
【図１０】
2020135296.tif 000012
【図１１】
2020135296.tif 000013
【図１２】
2020135296.tif 000014
【図１３】
2020135296.tif 000015